(57)【特許請求の範囲】
【請求項１】
タッチスクリーン端末の電子文書の位置決め方法であって、
電子文書の目録リストを生成して記憶するステップと、
前記電子文書における現在の章節の閲覧モードにおいて、スクリーンへの入力を検出するステップと、
ユーザによる章節切り換え機能の有効化を検出した場合、章節切り換えモードを有効化し、ユーザによるプレ切り換え先の章節番号の入力を待つステップと、
ユーザによるプレ切り換え先の章節番号の入力を検出した場合、記憶された目録リストから目録項目をリアルタイムにマッチングして表示するステップと、
ユーザにより入力されたプレ切り換え先の章節番号に応じて、該当する章節のプレビューを生成してユーザに表示するステップと、
ユーザによる章節切り換えの確認操作の入力を検出した場合、前記プレビューされた章節への切り換えを行うステップと、
を含み、
ユーザにより入力される章節番号のデフォルトの入力順は、前記目録リストにおける大きな単位から小さな単位への入力順と、小さな単位から大きな単位への入力順との両方であることを特徴とする位置決め方法。
【請求項２】
前記章節番号のフォーマットは、数字、数字と数字との組合せ、予め設定された字母と数字との組合せ、予め設定された記号と数字との組合せ、または予め設定された記号と予め設定された字母との組合せを含む
ことを特徴とする請求項１に記載の位置決め方法。
【請求項３】
前記章節番号と章節番号の間にはデリミタが存在する
ことを特徴とする請求項１または２に記載の位置決め方法。
【請求項４】
前記デリミタは予め設定された句読点または空欄である
ことを特徴とする請求項３に記載の位置決め方法。
【請求項５】
前記位置決め方法は、章節切り換えモードが有効化された後、さらに仮想キーボードを自動的に呼び出してユーザに表示する
ことを特徴とする請求項１に記載の位置決め方法。
【請求項６】
ユーザにより入力されたプレ切り換え先の章節番号に応じて、該当する章節のプレビューを生成してユーザに表示するステップは、
前記プレ切り換え先の章節番号に応じて、マッチングされた目録項目の数を判断し、マッチングされた目録項目の数が１つである場合、前記マッチングされた目録項目に対応する章節のプレビューを生成してユーザに表示し、マッチングされた目録項目の数が１つを超える場合、ユーザによるプレ切り換え先の章節の選択を待ち、ユーザによる切り換え先の章節の選択を検出した場合、選択された章節のプレビューを生成してユーザに表示する
ことを特徴とする請求項１に記載の位置決め方法。
【請求項７】
前記位置決め方法は、さらに、
生成されたプレビューをユーザに表示するとともに、予め設定された章節切り換えモードの終了時間内に、切り換えの確認操作を検出したかどうかを判断し、検出しなかった場合、章節切り換えモードを終了する
ことを特徴とする請求項１または６に記載の位置決め方法。
【請求項８】
記憶された目録リストから目録項目をリアルタイムにマッチングして表示するステップにおいて、マッチングされた目録項目を、前記マッチングされた目録項目を含むすべての目録項目とともにリスト形式でユーザに表示する
ことを特徴とする請求項１に記載の位置決め方法。
【請求項９】
前記マッチングされた目録項目は選択可能であり、前記マッチングされた目録項目を除いた他の目録項目は選択不可能である
ことを特徴とする請求項８に記載の位置決め方法。
【請求項１０】
前記リストはスクロール形式でユーザに表示される
ことを特徴とする請求項８に記載の位置決め方法。
【請求項１１】
前記章節のプレビューは、前記章節のタイトルと、前記章節における、ユーザにより予め設定された段落から抜粋された内容とを含む
ことを特徴とする請求項１または６に記載の位置決め方法。
【請求項１２】
タッチスクリーン端末であって、
電子文書の目録リストを生成して記憶する目録リストモジュールと、
スクリーンへの入力を検出する検出モジュールと、
ユーザに閲覧機能と章節切り換え機能を提供し、且つ前記検出モジュールが、ユーザによる章節切り換え機能の有効化を検出した場合、閲覧モードを章節切り換えモードに切り換えるモード切り換えモジュールと、
前記検出モジュールが、ユーザによるプレ切り換え先の章節番号の入力を検出した場合、ユーザにより入力された章節番号に応じて、前記目録リストから目録項目をリアルタイムにマッチングして表示するリアルタイム目録モジュールと、
前記検出モジュールが、ユーザによるプレ切り換え先の章節番号の入力を検出した場合、ユーザにより入力されたプレ切り換え先の章節番号に応じて、該当する章節のプレビューを生成してユーザに表示するプレビューモジュールと、
前記検出モジュールが章節切り換えの確認操作を検出した場合、前記プレビューモジュールによりプレビューされた章節への切り換えを行う章節切り換えモジュールと、
を備え、
前記端末は、プレ切り換え先の章節番号のフォーマット及び入力順と、デリミタと、プレビューの抜粋内容の出所と、章節切り換えモードの終了時間とを設定するためのインターフェース及び選択肢をユーザに提供する設定モジュールを更に含むことを特徴とするタッチスクリーン端末。
【請求項１３】
前記検出モジュールは、プレ切り換え先の章節の確認操作を検出した後、予め設定された章節切り換えモードの終了時間内に切り換えの確認操作を検出したかどうかを判断することに用いられ、
前記モード切り換えモジュールは、章節切り換えモードへの切り換え時に、仮想キーボードを呼び出してユーザに表示し、かつ、前記検出モジュールが、予め設定された章節切り換えモードの終了時間内に切り換えの確認操作を検出しなかった場合、章節切り換えモードを終了することに用いられ、
前記プレビューモジュールは、前記リアルタイム目録モジュールによりマッチングされた目録項目の数を判断し、前記リアルタイム目録モジュールによりマッチングされた目録項目の数が１つである場合、前記目録項目に対応する章節のプレビューを直接的に生成してユーザに表示し、前記リアルタイム目録モジュールによりマッチングされた目録項目の数が１つを超える場合、前記検出モジュールの検出結果を待ち、前記検出モジュールによりユーザの選択が検出された後、選択された章節のプレビューを生成してユーザに表示することに用いられる
ことを特徴とする請求項１２に記載のタッチスクリーン端末。
【請求項１４】
前記モード切り換えモジュールは、前記タッチスクリーンにおける予め設定された領域であり、長押し、シングルタッチ、マルチタッチ、音声またはショートカットキーで有効化される
ことを特徴とする請求項１２に記載のタッチスクリーン端末。
【請求項１５】
前記モード切り換えモジュールは、前記予め設定された領域における透かしアイコンまたは透かし文字として表示される
ことを特徴とする請求項１４に記載のタッチスクリーン端末。
【発明の詳細な説明】
【技術分野】
【０００１】
本発明は通信分野に関し、特にタッチスクリーン端末及びその電子文書の位置決め方法に関する。
【背景技術】
【０００２】
通信技術の持続的な発展に伴い、より多くの無線端末装置が人々の生活に入り込んできている。これらの無線端末装置は携帯性及び移動性を有するので、人々の閲覧方式が大きく変化してきており、電子閲覧がますます普及してきている。
【０００３】
従来のタッチスクリーン移動端末は、電子文書の表示と閲覧を行うときに、スクリーンに触れて文書閲覧時の位置決め操作を行うことが多い。例えば、携帯電話におけるアプリケーションソフトで予め全文を走査し、全文の章節番号リストを生成する。その後、ユーザは、スクリーンをスライドして所望する章節を選び、その章節が表示された部分に触れて確認を行う。この操作は一見したところ合理的であるが、実際には、ユーザ体験は良くない。例えば、ユーザが小説またはページ数が多い技術文書を読む場合に、異なる章節同士を繰り返して切り換える必要がある場合、章節リストが大きくかつブラウズする必要がある章節のスパンが大きいので、ユーザはスクリーンを続けてスライドしてページを変え、所望の章節を見つけなければならないことが多い。このような操作方式は不便で、章節の切り換えの効率も低い。
【０００４】
また、ブックマークを付けて、異なるブックマークを選ぶことによってユーザによる切り換えを行うという別の文書の位置決め方法がある。このような方式においてもある程度の問題が存在する。つまり、ブックマークは、一般的に、ユーザに対して表示される１つのフラグメント文字をブックマークとして記録するものであるが、記憶されたブックマークが多すぎる場合、または切り換え先がどの章節であるかということをブックマークのフラグメント文字によって効果的に示すことが難しい場合、文書の素早い位置決め及び切り換えを実現することができない。
【発明の概要】
【発明が解決しようとする課題】
【０００５】
本発明の目的は、従来のタッチスクリーン端末における電子文書位置決め方法では、章節間の切り換え時における切り換えの効率が低くかつ位置決めが正確でないといった問題を解決するために、タッチスクリーン端末及びその電子文書の位置決め方法を提供することにある。
【課題を解決するための手段】
【０００６】
本発明により提供されるタッチスクリーン端末の電子文書の位置決め方法は、
電子文書の目録リストを生成して記憶するステップと、
前記電子文書における現在の章節の閲覧モードにおいて、スクリーンへの入力を検出するステップと、
ユーザよる章節切り換え機能の有効化を検出した場合、章節切り換えモードを有効化し、ユーザによるプレ切り換え先の章節番号の入力を待つステップと、
ユーザによるプレ切り換え先の章節番号の入力を検出した場合、記憶された目録リストから目録項目をリアルタイムにマッチングして表示するステップと、
ユーザにより入力されたプレ切り換え先の章節番号に応じて、該当する章節のプレビューを生成してユーザに表示するステップと、
ユーザによる章節切り換えの確認操作の入力を検出した場合、前記プレビューされた章節への切り換えを行うステップとを含む。
【０００７】
好ましくは、前記章節番号のフォーマットは、数字、数字と数字との組合せ、予め設定された字母と数字との組合せ、予め設定された記号と数字との組合せ、または予め設定された記号と予め設定された字母との組合せを含む。
【０００８】
好ましくは、ユーザにより入力される章節番号のデフォルトの入力順は、前記目録リストにおける大きな単位から小さな単位への入力順と、小さな単位から大きな単位への入力順との両方である
【０００９】
好ましくは、前記章節番号と章節番号の間はデリミタが存在する。
【００１０】
好ましくは、前記デリミタは予め設定された句読点または空欄である。
【００１１】
好ましくは、前記方法は、章節切り換えモードが有効化された後、さらに仮想キーボードを自動的に呼び出してユーザに表示する。
【００１２】
好ましくは、ユーザにより入力されたプレ切り換え先の章節番号に応じて、該当する章節のプレビューを生成してユーザに表示するステップは、
前記プレ切り換え先の章節番号に応じて、マッチングされた目録項目の数を判断し、マッチングされた目録項目の数が１つである場合、前記マッチングされた目録項目に対応する章節のプレビューを生成してユーザに表示し、マッチングされた目録項目の数が１つを超える場合、ユーザよるプレ切り換え先の章節の選択を待ち、ユーザによる切り換え先の章節の選択を検出した場合、選択された章節のプレビューを生成してユーザに表示する。
【００１３】
好ましくは、前記位置決め方法は、さらに、生成されたプレビューをユーザに表示するとともに、予め設定された章節切り換えモードの終了時間内に、切り換えの確認操作を検出したかどうかを判断し、検出しなかった場合、章節切り換えモードを終了する。
【００１４】
好ましくは、記憶された目録リストから目録項目をリアルタイムにマッチングして表示するステップにおいて、マッチングされた目録項目を、前記マッチングされた目録項目を含むすべての目録項目とともにリスト形式でユーザに表示する。
【００１５】
好ましくは、前記マッチングされた目録項目は選択可能であり、前記マッチングされた目録項目を含む目録項目は選択不可能である。
【００１６】
好ましくは、前記リストはスクロール形式でユーザに表示される。
【００１７】
好ましくは、前記章節のプレビューは、前記章節のタイトルと、前記章節における、ユーザにより予め設定された段落から抜粋された内容とを含む。
【００１８】
さらに、本発明により提供されるタッチスクリーン端末は、
電子文書の目録リストを生成して記憶する目録リストモジュールと、
スクリーンへの入力を検出する検出モジュールと、
ユーザに閲覧機能と章節切り換え機能を提供し、且つ前記検出モジュールが、ユーザよる章節切り換え機能の有効化を検出した場合、閲覧モードを章節切り換えモードに切り換えるモード切り換えモジュールと、
前記検出モジュールが、ユーザによるプレ切り換え先の章節番号の入力を検出した場合、ユーザにより入力された章節番号に応じて、前記目録リストから目録項目をリアルタイムにマッチングして表示するリアルタイム目録モジュールと、
前記検出モジュールが、ユーザによるプレ切り換え先の章節番号の入力を検出した場合、ユーザにより入力されたプレ切り換え先の章節番号に応じて、該当する章節のプレビューを生成してユーザに表示するプレビューモジュールと、
前記検出モジュールが章節切り換えの確認操作を検出した場合、前記プレビューモジュールによりプレビューされた章節への切り換えを行う章節切り換えモジュールとを備える。
【００１９】
好ましくは、前記端末は、プレ切り換え先の章節番号のフォーマット及び入力順と、デリミタと、プレビューの抜粋内容の出所と、章節切り換えモードの終了時間とを設定するためのインターフェース及び選択肢をユーザに提供する設定モジュールを更に含む。
【００２０】
好ましくは、前記検出モジュールは、プレ切り換え先の章節の確認操作を検出した後、予め設定された章節切り換えモードの終了時間内に、切り換えの確認操作を検出したかどうかを判断することに用いられ、
前記モード切り換えモジュールは、章節切り換えモードへの切り換え時に、仮想キーボードを呼び出してユーザに表示し、かつ、前記検出モジュールが、予め設定された章節切り換えモードの終了時間内に切り換えの確認操作を検出しなかった場合、章節切り換えモードを終了ことに用いられ、
前記プレビューモジュールは、前記リアルタイム目録モジュールによりマッチングされた目録項目の数を判断し、前記リアルタイム目録モジュールによりマッチングされた目録項目の数が１つである場合、前記目録項目に対応する章節のプレビューを直接的に生成してユーザに表示し、前記リアルタイム目録モジュールによりマッチングされた目録項目の数が１つを超える場合、前記検出モジュールの検出結果を待ち、前記検出モジュールによりユーザの選択が検出された後、選択された章節のプレビューを生成してユーザに表示することに用いられる。
【００２１】
好ましくは、前記モード切り換えモジュールは、前記タッチスクリーンにおける予め設定された領域であり、長押し、シングルタッチ、マルチタッチ、音声またはショートカットキーで有効化される。
【００２２】
好ましくは、前記モード切り換えモジュールは、前記予め設定された領域における透かしアイコンまたは透かし文字として表示される。
【発明の効果】
【００２３】
本発明によれば、ユーザはプレ切り換え先の章節の章節番号を入力することにより、所望の章節を正確に位置決めして閲覧を行うことができ、ブックマークを設定する必要もなく、目録をブラウズして章節を探す必要もない。このように、本発明では、閲覧体験を大幅に改善することができ、また、本発明は、操作が簡単であり、容易に実現可能である。
【図面の簡単な説明】
【００２４】
【図１】本発明の好適な実施例に係るタッチスクリーン端末の電子文書の位置決め方法を示すフローチャートである。
【図２】本発明に係る電子文書における第一章のプレビューを示す図である。
【図３】本発明の好適な実施例に係るタッチスクリーン端末の構造を示すブロック図である。
【発明を実施するための形態】
【００２５】
本願が解決しようとする技術的問題、技術スキーム及び有益な効果をさらに明確かつ明瞭に説明するために、以降では、添付図面と実施例を組合せて本発明について詳細に説明する。なお、ここで記載する具体的な実施形態は単に本発明を説明及び解釈するために用いられるものであり、本発明を限定するものではない。
【００２６】
図１は、本発明の好適な実施例に係るタッチスクリーン端末における電子文書の位置決め方法のフローチャートを示す図であり、本実施例は下記のステップを含む。
【００２７】
ステップＳ００１：電子文書の目録リストを生成して記憶する。
【００２８】
ユーザが電子文書をインポートするときに、ユーザが後の閲覧に使用できるように、端末は自動的に当該電子文書の目録リストを生成して記憶する。
【００２９】
目録リストはキーワードを設定することで生成されてもよい。例えば、中国語の文書では、キーワードは第*巻、第*部、第*回、第*章、第*節、第*課、第*編などに設定され、英語の文書では、キーワードはＳｅｃｔｉｏｎ*、Ｃｈａｐｔｅｒ *などに設定される。ここで、「*」はアラビア数字やローマ数字や英数字（例えばｏｎｅ、ｔｗｏ）や漢数字（例えば一，ニ）である。また、目録リストは、他の方法、例えばｗｏｒｄ文書における目録の生成方法で生成されてもよい。これらはすべで従来技術であるので、本明細書中において詳しく説明しない。
【００３０】
ステップＳ００２：電子文書の閲覧モードにおいて、タッチスクリーンへの入力を検出する。
【００３１】
ステップＳ００３：ユーザによる章節の切り換え機能の有効化を検出した場合、章節切り換えモードを有効化する。これと同時に、プレ切り換え先の章節番号をユーザが入力する場合に使用される仮想キーボードを自動的に呼び出してユーザに表示する。
【００３２】
他の実施例では、本ステップにおいて、仮想キーボードを呼び出さなくてもよい。この場合、ユーザが、必要な場合に仮想キーボードをマニュアルで呼び出してもよい。
【００３３】
このとき、現在閲覧している章節は灰色で表示され、ユーザ入力ウィンドウは現在閲覧している章節の上層に明るく表示される。
【００３４】
ステップＳ００４：ユーザにより入力されたプレ切り換え先の章節番号及びデリミタに応じて、記憶された目録リストから目録項目をリアルタイムにマッチングして表示する。
【００３５】
マッチングされた目録項目は前記マッチングされた目録項目を含むすべての目録項目とともにリスト形式でユーザに表示される。表示する必要がある目録項目が多い場合、前記リストにおける内容はスクロールで表示してもよい。そして、このリストにおいて、マッチングされた目録項目は、選択可能とされ、前記マッチングされた目録項目を含む目録項目は、選択不可能とされる。このとき、現在閲覧している章節は灰色で表示され、前記リストは現在閲覧している章節の上層に明るく表示される。
【００３６】
本発明において、プレ切り換え先の章節番号のフォーマットは、例えば１、２などの数字であってもよく、例えば１１、２３などの数字と数字の組合せであってもよい。また、フォーマットは、例えばＳ１、Ｊ１などの字母と数字との組合せであってもよく、例えば<１などの記号と数字との組合せであってもよく、例えば<Ｊなどの記号と字母との組合せであってもよい。なお、数字または数字と数字との組合せがデフォルトのフォーマットである。他のフォーマットについて、ユーザは、文書の具体的な内容またはユーザ自身の使用習慣に応じてフォーマットを予め設定して使用することができる。
【００３７】
デリミタは予め設定された、例えば小数点（.）、読点（，）などの１つの句読点、または１つの空欄である。
【００３８】
ユーザにより入力された章節番号とデリミタとの組合せは、デフォルトで、目録における大きい単位から小さい単位への順番での入力と、小さい単位から大きい単位への順番での入力との両方の入力とみなされる。例えば目録の単位が大きい単位から小さい単位の順番で巻、章、節である場合に、ユーザが２.１と入力すると、ユーザが第二巻第一章を探す必要があるとみなされるとともに、ユーザが第一章第二節を探す必要があるとみなされる。そして、位置決められた章節が選択可能な状態に表示される。大きい単位から小さい単位の順番で入力された章節番号の計算と、小さい単位から大きい単位の順番で入力された章節番号の計算とが同じである場合、１つの同じ結果が得られる。例えば、目録の単位が大きい単位から小さい単位の順番で巻、章、節である場合に、ユーザが２.１.２と入力すると、大きい単位から小さい単位の順番での計算を行うか、小さい単位から大きい単位の順番での計算を行うかに関わらず、同じ第二巻第一章第二節に位置決めされる。位置決めされた章節が１つだけである場合、次のステップが直接的に実行される。位置決めされた章節が複数である場合、ユーザによるマニュアルでの選択を待つ必要があり、ユーザがスクリーンを介して該当する項目をタッチすると次のステップが実行される。
【００３９】
電子文書が中国語の文書であると仮定した場合のその目録リストが以下に示されている。
【００４０】
【表１】
0005815860.tif 000002
【００４１】
ユーザが１.を入力したとき、目録リストにおける最小単位である節と最大単位である巻がデフォルトで位置決めされ、この場合、当該電子文書の第一巻と、第一節を含むすべての章節とが表示される。このときの様子が表２に示されている。
【００４２】
【表２】
0005815860.tif 000003
【００４３】
この場合、上記の表示において、第一巻とすべての第一節は選択可能な状態にある。即ちこの表において下線を有する章節が選択可能な章節であり、他の章節はすべて選択不可能な状態に表示される。ユーザがスクリーンを介して所望の選択可能な章節をクリックすると次のステップが実行される。
【００４４】
ユーザが続けて１.１.と入力したときに、目録リストの巻及び章、並びに、編及び節がデフォルトで位置決めされ、この場合、当該電子文書における第一巻第一章と、第一編第一節を有するすべての章節とが表示される。このときの様子が表３に示されている。
【００４５】
【表３】
0005815860.tif 000004
【００４６】
この場合、上記の表示において、第一巻の第一章と、すべての第一節だけが選択可能な状態にある。即ちこの表において下線を有する章節が選択可能な章節であり、他の章節はすべて選択不可能な状態に表示される。ユーザがスクリーンを介して所望の選択可能な章節をクリックすると次のステップが実行される。
【００４７】
ユーザが続けて１.１.１.と入力したとき、目録リストの章、編、及び節、並びに、巻、章、及び編がデフォルトで位置決めされ、この場合、当該電子文書における第一巻第一章第一編と、第一章第一編第一節を有するすべての章節とが表示される。ことときの様子が表４に示されている。
【００４８】
【表４】
0005815860.tif 000005
【００４９】
この場合、上記の表示において、第一巻の第一章の第一編と、すべての第一節だけが選択可能な状態にある。即ちこの表において下線を有する章節が選択可能な章節であり、他の章節はすべて選択不可能な状態に表示される。ユーザがスクリーンを介して所望の選択可能な章節をクリックすると次のステップが実行される。
【００５０】
ユーザが続けて１.１.１.１.と入力したとき、目録リストの巻、章、編、及び節がデフォルトで位置決めされ、この場合、当該電子文書における第一巻第一章第一編第一節が表示される。このときの様子が表５に示されている。
【００５１】
【表５】
0005815860.tif 000006
【００５２】
この場合、上記の表示において、第一節だけが選択可能な状態にある。即ちこの表において下線を有する章節が選択可能な章節であり、他の章節はすべて選択不可能な状態に表示される。この場合、直接的に次のステップが実行される。
【００５３】
選択可能な状態の章節について、他の実施例において、ハイライトで表示してもよいし他の方式でその状態を表示してもよい。なお、ここではその例について一つずつ列挙するようなことはしない。
【００５４】
ユーザは、タッチスクリーン端末により提供される選択肢によってプレ切り換え先の章節番号の入力順が、目録における大きい単位から小さい単位への入力順であるか、小さい単位から大きい単位への入力順であるかを設定することができる。
【００５５】
このステップにおいて、ユーザにより入力される章節番号の数は、電子文書の目録における単位の数以下となる必要がある。例えば、目録における単位が巻、章、節である場合、ユーザにより入力される章節番号の数は３つ以下とされる。ユーザにより入力された章節番号の数が電子文書の目録における単位の数に等しい場合、ユーザの入力を禁止させることでユーザに入力の完了を提示してもよい。あるいは、入力を続けることをユーザに許可するが、「該当する章節がない」と提示することでユーザに入力エラーを知らせてもよい。
【００５６】
ステップＳ００５：プレ切り換え先の章節番号の入力の完了が検出された場合、ユーザにより入力された章節番号に応じて、該当する章節のプレビューページを生成してユーザに表示する。
【００５７】
このステップにおいて、ユーザの入力が完了された場合に、ステップＳ００４において最終的にマッチングされた目録項目の数に応じて、プレビューページを直接的に生成するかまたはユーザの選択を待つかを決定する必要がある。ステップＳ００４において１項の目録項目のみがマッチングされた場合、前記目録項目に対応する章節のプレビューページを直接的に生成してユーザに表示する。ステップＳ００４においてマッチングされた目録項目が１項より多い場合、ユーザによるプレ切り換え先の章節の選択を待って、ユーザの選択を検出した後、選択された章節のプレビューを生成してユーザに表示する。
【００５８】
前記章節のプレビューは当該章節のタイトルと、当該章節における所定部分から抜粋された内容とを含み、ユーザは必要に応じて、章節プレビューの内容の抜粋段落を設定することができる。
【００５９】
図２を参照して、図２は、本発明の電子文書における第一章のプレビューである。ここで、図２ａは章節の前段部分から抜粋されたプレビューであり、図２ｂは章節の中段部分から抜粋されたプレビューであり、図２ｃは章節の後段部分から抜粋されたプレビューである。
【００６０】
ステップＳ００６：スクリーンの入力を検出し、予め設定された章節切り換えモードの終了時間内に、ユーザの切り換えの確認操作を検出したかどうかを判断し、検出した場合、ステップＳ００７を実行し、検出しなかった場合、ステップＳ００８を実行する。
【００６１】
ユーザはスクリーンのプレビュー領域をクリックするか、又はショートカットキーを押すことによって切り換えの確認操作を実行する。
【００６２】
ステップＳ００７：プレビューされた章節に切り換えてその章節を表示し、今回の章節切り換えを終了する。
【００６３】
ステップＳ００８：章節切り換えモードを終了して、現在の章節の閲覧モードに戻し、今回の章節切り換えを終了する。
【００６４】
図３を参照して、図３は、本発明の好適な実施例に係るタッチスクリーン端末の構造を示すブロック図である。このタッチスクリーン端末は、設定モジュール０１と、目録リストモジュール０２と、検出モジュール０３と、モード切り換えモジュール０４と、リアルタイム目録モジュール０５と、プレビューモジュール０６と、章節切り換えモジュール０７とを備える。
【００６５】
設定モジュール０１は、プレ切り換え先の章節番号のフォーマット及び入力順、デリミタ、プレビューの抜粋された内容の出所及び章節切り換えモードの終了時間を設定するためのインターフェース及び選択肢をユーザに提供することに用いられる。
【００６６】
目録リストモジュール０２は、電子文書の目録リストを生成して記憶することに用いられる。
【００６７】
検出モジュール０３は、スクリーンへの入力を検出し、プレ切り換え先の章節の確認操作を検出した後、予め設定された章節切り換えモードの終了時間内に、切り換えの確認操作を検出したかどうかを判断することに用いられる。
【００６８】
モード切り換えモジュール０４は、閲覧機能と章節切り換え機能をユーザに提供し、前記検出モジュール０３が、ユーザによる章節切り換え機能の有効化を検出した場合、閲覧モードを章節切り換えモードに切り換え、同時に仮想キーボードを呼び出してユーザに表示することに用いられる。そして、モード切り換えモジュール０４は、検出モジュール０３が、予め設定された章節切り換えモードの終了時間内に切り換えの確認操作を検出しなかった場合、章節切り換えモードを終了することにも用いられる。
【００６９】
本実施例において、モード切り換えモジュール０４は、前記タッチスクリーンにおける１つの予め設定された領域であるか、または前記領域における１つの透かしアイコンまたは透かし文字として表示されるものであり、長押し、シングルタッチ、マルチタッチ、音声、ショートカットキーで有効化される。
【００７０】
リアルタイム目録モジュール０５は、前記検出モジュール０３が、ユーザにより入力されたプレ切り換え先の章節番号を検出した場合、ユーザにより入力された章節番号に応じて、前記目録リストから目録項目をリアルタイムにマッチングし、前記マッチングされた目録項目を含むすべての目録項目を、静止またはスクロールリストの形式でユーザに表示することに用いられる。このリストにおいて、マッチングされた目録項目は選択可能とされ、前記マッチングされた目録項目を含む目録項目は選択不可能とされる。
【００７１】
プレビューモジュール０６は、前記検出モジュール０３が、プレ切り換え先の章節番号の入力の完了を検出した場合、リアルタイム目録モジュール０５によりマッチングされた目録項目の数を判断し、リアルタイム目録モジュール０５によりマッチングされた目録項目の数が１つである場合に、前記目録項目に対応する章節のプレビューを直接的に生成してユーザに表示し、リアルタイム目録モジュール０５によりマッチングされた目録項目の数が１つを超える場合、前記検出モジュール０３の検出結果を待って、検出モジュール０３がユーザの選択を検出した後、選択された章節のプレビューを生成してユーザに表示することに用いられる。
【００７２】
章節切り換えモジュール０７は、前記検出モジュール０３が章節切り換えの確認操作を検出した場合、プレビューモジュール０６によりプレビューされた章節への切り換えを行うことに用いられる。
【００７３】
以上の説明では本発明の好適な実施例を挙げて説明したが、上述したように、本発明は本明細書に開示された形式に限定されるものではなく、他の実施例を排除するということではない。本発明は、他の様々な組合せ、修正及び環境に用いることができ、かつ、本明細書の発明の範囲内において、上記の教示や関連分野の技術や知識によって変更することができる。当業者による変更及び変形は本発明の趣旨及び範囲を逸脱しない限り、本発明の請求項の保護範囲内に属するべきである。
【産業上の利用可能性】
【００７４】
本発明は、電子文書の目録リストを生成して記憶し、前記電子文書における現在の章節の閲覧モードにおいて、スクリーンへの入力を検出し、ユーザによる章節切り換え機能の有効化を検出した場合、章節切り換えモードを有効化する。そして、ユーザによるプレ切り換え先の章節番号の入力を待ち、ユーザによるプレ切り換え先の章節番号の入力を検出した場合、記憶された目録リストから目録項目をリアルタイムにマッチングして表示する。そして、ユーザにより入力または選択されたプレ切り換え先の章節番号に応じて、該当する章節のプレビューを生成してユーザに表示し、切り換えの確認操作を検出した場合、前記プレビューされた章節への切り換えを行う。本発明は、操作が簡単であり、容易に実現でき、閲覧体験を改善することができる。
【図１】
0005815860.tif 000007
【図２】
0005815860.tif 000008
【図３】
0005815860.tif 000009